(57)【要約】【課題】本考案は、特定の運動選手を対象とした減圧訓練施設のみならず、一般ユーザーも日常的に使用できる低圧室に、核分裂反応時に発生する大量の中性子から生命を守るための中性子遮蔽機能を備えた核シェルター型低圧室に関するものである。【解決手段】低圧室筐体を中性子遮蔽材で製作し、又は、低圧室筐体の外周を中性子遮蔽材で被い、核分裂反応で発生する中性子を遮蔽することを特徴とする核シェルター型低圧室で解決した。【選択図】図１
0003123960.tif 000002
【実用新案登録請求の範囲】
【請求項１】
低圧室筐体を中性子遮蔽材で製作し、核分裂反応で発生する中性子を遮蔽することを特徴とする核シェルター型低圧室。
【請求項２】
低圧室筐体の外周を中性子遮蔽材で被い、核分裂反応で発生する中性子を遮蔽することを特徴とする核シェルター型低圧室。
【考案の詳細な説明】
【技術分野】
【０００１】２０世紀は物質文明が大いに発達した世紀であったが、一方では近代兵器殊には核兵器出現による大量殺戮と、その後の核拡散による人類存亡に関わる脅威の世紀でもあった。２１世紀に入っても核拡散の脅威は止まることを知らず、いまやテロリスト達が核兵器を手にしようとすらしている。本考案は、斯かる脅威に対して生命を守るための核シェルターに関するものである。
【背景技術】
【０００２】
【特許文献１】  特公平２−４２９９２号公報
【特許文献２】  特開平８−１１２３７３号公報
【特許文献３】  特開平１１−３３６３７３号公報
【特許文献４】  特許２９１９１１１号公報
【特許文献５】  特開２０００−５４６６６号公報
【非特許文献１】  実開平２−１１８５７１号公報
【考案の開示】
【考案が解決しようとする課題】
【０００３】本考案は、特定の運動選手を対象とした減圧訓練施設のみならず、一般ユーザーも日常的に使用できる低圧室に、核分裂反応時に発生する大量の中性子から生命を守るための中性子遮蔽機能を備えた核シェルター型低圧室に関するものである。
【課題を解決するための手段】
【０００４】本考案は、請求項１の考案においては、低圧室筐体を中性子遮蔽材で製作し、核分裂反応で発生する中性子を遮蔽する核シェルター型低圧室であることを特徴とする。【０００５】請求項２の考案においては、低圧室筐体の外周を中性子遮蔽材で被い、核分裂反応で発生する中性子を遮蔽する核シェルター型低圧室であることを特徴とする。
【考案の効果】
【０００６】従来、低圧室は高地の気圧環境を平地で実現する目的にのみ使用されていたが、本考案では、低圧室筐体を中性子遮蔽材で製作又は低圧室筐体の外周を中性子遮蔽材で被い、核分裂反応で発生する中性子を遮蔽できる機能を備えているので、日常は前記低圧室を低圧室本来の使用目的に使用しつつ、核戦争勃発並びに核攻撃情報による避難命令が発せられたときは、該低圧室に退避することによって核分裂反応による中性子被爆を回避でき、尊い生命を守ることができる。
【考案を実施するための最良の形態】
【０００７】考案を実施するための最良の形態について説明する。図１に本考案を適用した核シェルター型低圧室の立面断面図を、図２に本考案を適用した核シェルター型低圧室の左側面図を、図３に本考案を適用した核シェルター型低圧室の右側面図を、図４に本考案を適用した核シェルター型低圧室の平面図を、図５に本考案を適用した核シェルター型低圧室の右立面断面図を、図６に本考案を適用した核シェルター型低圧室の配管系統図を、それぞれ示す。
【実施例】
【０００９】本考案の核シェルター型低圧室の実施例では、低圧に耐え得る強度を有する筐体（２）と、前記筐体（２）の周囲を被う中性子遮蔽材（３）で主要構造を為し、前記筐体（２）の両端には中性子遮蔽材付エンドプレート（４ａ）、（４ｂ）が気密緊結される。前記中性子遮蔽材付エンドプレート（４ａ）、（４ｂ）にはエンドプレート開口部（５ａ）、（５ｂ）がそれぞれ設けられ、前記エンドプレート開口部（５ａ）、（５ｂ）には中性子遮蔽材付気密扉（６ａ）、（６ｂ）が気密並びに開閉自在に設けられ、前記中性子遮蔽材付エンドプレート（４ａ）、（４ｂ）と前記中性子遮蔽材付気密扉（６ａ）、（６ｂ）とは前記中性子遮蔽材付気密扉（６ａ）、（６ｂ）の周囲にパッキン（図示せず）を配して前記中性子遮蔽材付エンドプレート（４ａ）（４ｂ）に密着させることによって気密構造を為す。【００１０】また、核分裂反応後は、死の灰降下等による空気汚染を容易に推測できるが、前記低圧室（１）筐体（２）に設けられた外気吸入口（１９）乃至（２３）には高性能の活性炭フィルター（３０）及びＨＥＰＡフィルター（３１）が接続してあるので、空気中の汚染物質を完全に濾過することができ、前記低圧室滞在者は空気の上からも安全を確保できる。
【産業上の利用可能性】
【００１１】産業上の利用可能性としては、一般家庭はもとより学校、スポーツジム、ホテル、温泉、ゴルフ場レストハウス、病院、整骨院、老人ホーム、プロスポーツ選手、低圧室サービスショップ等々、幅広い利用が期待される。但し、これはあくまでも生命維持の極限対策であり、このような装置が機能する必要のない恒久的平和が訪れるよう、共に精一杯努力しなければならない
【図面の簡単な説明】
【００１２】
【図１】は本考案を適用した核シェルター型低圧室の立面断面図である。
【図２】は本考案を適用した核シェルター型低圧室の左側面図である。
【図３】は本考案を適用した核シェルター型低圧室の右側面図である。
【図４】は本考案を適用した核シェルター型低圧室の平面図である。
【図５】は本考案を適用した核シェルター型低圧室の右立面断面図である。
【図６】は本考案を適用した核シェルター型低圧室の配管系統図である。
【符号の説明】
【００１３】１  低圧室                              ２  筐体
３  中性子遮蔽材                        ４ａ  中性子遮蔽材付エンドプレート
４ｂ  中性子遮蔽材付エンドプレート      ５ａ  エンドプレート開口部
５ｂ  エンドプレート開口部              ６ａ  中性子遮蔽材付気密扉
６ｂ  中性子遮蔽材付気密扉              ７ａ  気密扉開口部
７ｂ  気密扉開口部                      ８ａ  中性子遮蔽材付窓
８ｂ  中性子遮蔽材付窓                  ９ａ  額縁
９ｂ  額縁                              １０  床板
１１  床板支持材                        １２  支持板
１３  ベース                            １４ａ  階段
１４ｂ  階段                            １５  減圧ポンプ
１６  減圧ポンプ吸気口                  １７  減圧ポンプ排気口
１８  低圧室排気口                      １９  外気吸入口
２０  外気吸入口                        ２１  外気吸入口
２２  外気吸入口                        ２３  外気吸入口
２４  外気調節弁                        ２５  圧力制御装置
２６  圧力制御弁                        ２７  過減圧防止弁
２８  室内非常弁                        ２９  室外非常弁
３０  活性炭フィルター                  ３１  ＨＥＰＡフィルター
３２  ノズル                            ３３  ノズル
３４  ノズル                            ３５  ノズル
３６  ノズル                            ３７  フード
３８  予備フィルター                    ３９  空調室外機
４０  空調機                            ４１  空調配管
４２  ドレイン管                        ４３  非常用電源設備
【図１】
0003123960.tif 000003
【図２】
0003123960.tif 000004
【図３】
0003123960.tif 000005
【図４】
0003123960.tif 000006
【図５】
0003123960.tif 000007
【図６】
0003123960.tif 000008